(57)【特許請求の範囲】
【請求項１】
電子部品が搭載された複数枚のプリント配線板と、これら複数枚のプリント配線板を平行に並べて収納する装置筺体とを備え、前記装置筺体の前面から前記プリント配線板を挿抜自在とするとともに、前記プリント配線板間を配線接続した通信装置用ユニットにおいて、前記プリント配線板の上、下部の少なくともいずれか一方に、プリント配線板間の配線のためのコネクタを取り付けるとともに、このコネクタの挿抜を行う挿抜手段を設け、この挿抜手段の操作を前記装置筺体の前面側から行うことを特徴とする通信装置用ユニット。
【請求項２】
請求項１記載の通信装置用ユニットにおいて、筺体の前面の外側から操作され前後方向に移動自在なラックと、このラックと噛合するピニオンを一端に有し他端にねじ部が形成されたねじ棒と、このねじ棒のねじ部と螺合するねじ部を有しコネクタが取り付けられた移動部材とから前記挿抜手段を構成し、前記ねじ棒を前記ラックと直交して上下方向に延在させ軸線を中心に回転自在に支持するとともに、前記移動部材を前記ねじ棒に支持して上下方向に移動自在としたことを特徴とする通信装置用ユニット。
【発明の詳細な説明】
【０００１】
【発明の属する技術分野】
本発明は、複数のプリント配線板を装置筺体内に平行に並べ、装置筺体の前面からこれらプリント基板を挿抜するようにした、いわゆるブックシェルフ実装形式の通信装置用ユニットに関する。
【０００２】
【従来の技術】
図４は、“原田他：「ディジタル通信装置高密度実装法」、ＮＴＴ  Ｒ＆Ｄ、巻１０、ｐｐ．１５０〜１６０，”に開示されたものであって、従来の通信装置ユニットにおけるプリント基板の収容構造の概略を示す斜視図である。同図に基づいてこれを説明すると、４０は電気／光コネクタ４１が搭載されたバックボード、４２は光部品モジュールを含む電子部品４３が搭載されたプリント基板である。このプリント基板４２は、図示を省略した装置筺体の前面側から矢印Ａ−Ｂ方向に挿抜され、挿入されることにより電気／光コネクタ４１を介してバックボード４０に信号接続される。そして、プリント基板４２は左右方向に複数枚平行に並べられ、バックボード４０の配線を介してプリント基板４２間または他のユニットとの信号接続がされている。
【０００３】
このような構成の通信装置用ユニットにおいては、信号端子数がバックボード４０に搭載可能な電気／光コネクタ４１の数によって決まり、換言すれば電気／光コネクタ４１の搭載可能な数によって信号端子数が制約されることとなる。近年、プリント基板４２に搭載される電子部品４３の高速化、多端子化によって、プリント基板から入出力される信号／電源端子数の増大が要求されるようになってきている。しかしながら、上述した従来の通信装置用ユニットにおいては、プリント基板間、ユニット間の信号接続用のコネクタの設置位置がバックボードのみに制限されているために、信号の入出力端子数の増加が不可能になってきた。
【０００４】
そこで、この問題を解消するものとして、ユニット前面において入出力信号端子部を設けた通信装置用ユニットが、例えば、Ｓ．Ｋｏｉｋｅ  ｅｔ．ａｌ“Ｈｉｇｈ−Ｓｐｅｅｄ  Ｓｉｇｎａｌ  Ｔｒａｎｓｍｉｓｓｉｏｎ  ａｔ  ｔｈｅｆｒｏｎｔ  ｏｆ  ａ  Ｂｏｏｋｓｈｅｌｆ  Ｐａｃｋａｇｉｎｇ  Ｓｙｓｔｅｍ，”  ＩＥＥＥ  ＣＰＭＴ  Ｔｒａｎｓａｃｔｉｏｎｓ  ｏｎ  Ｃｏｍｐｏｎｅｎｔｓ，Ｐａｃｋａｇｉｎｇ  ａｎｄ  Ｍａｎｕｆａｃｔｕｒｉｎｇ  Ｔｅｃｈｎｏｌｏｇｙ，ｐｐ．３５３−３６０，（１９９７）に提案されている。図５はここに提案された通信装置用ユニットにおけるプリント基板間の接続構造の概略を示す斜視図である。
同図に基づいてこれを説明すると、プリント基板４２の前部に電気／光コネクタ４４が搭載され、これら電気／光コネクタ４４間が前面接続用電気／光配線ケーブル４５によって接続されている。このようにプリント基板４２の前面においても信号接続を行うようにしたことにより、信号の入出力端子数を増加させることができる。
【０００５】
【発明が解決しようとする課題】
しかしながら、この従来の通信装置用ユニットにおいては、通信装置用ユニットの前面側において信号接続を行うため、通常複数の通信装置用ユニットが収容されている通信用装置架では、１ユニット故障時に保守のために通信装置架のドアを開いた際に、装置設置施設内の電磁雑音放射の増加がみられる等の問題が発生する。また、プリント基板交換時に前面接続用電気・光配線ケーブル４５の着脱を１枚のプリント基板につき複数回必要なために、装置運用者の作業効率が悪いといった問題もあった。
【０００６】
本発明は上記した従来の問題に鑑みなされたものであり、その目的とするところは、通信装置用ユニットから発生する電磁雑音放射に対しても従来の標準ユニットと同様なシールド効果を維持するとともに、装置運用者の作業効率を向上させ、かつプリント基板の信号の入出力端子数の増加を図った通信装置用ユニットを提供することにある。
【０００７】
【課題を解決するための手段】
この目的を達成するために、本発明に係る請求項１記載の通信装置用ユニットは、電子部品が搭載された複数枚のプリント配線板と、これら複数枚のプリント配線板を平行に並べて収納する装置筺体とを備え、前記装置筺体の前面から前記プリント配線板を挿抜自在とするとともに、前記プリント配線板間を配線接続した通信装置用ユニットであって、前記プリント配線板の上、下部の少なくともいずれか一方に、プリント配線板間の配線のためのコネクタを取り付けるとともに、このコネクタの挿抜を行う挿抜手段を設け、この挿抜手段の操作を前記装置筺体の前面側から行うものである。
したがって、コネクタの数の増加によってプリント基板１枚あたりの端子数が増加し、挿抜手段の操作を装置筺体の前面側から行うようにしたことにより、電磁雑音が低減されるとともに、通信装置運用者の作業効率が向上する。
また、本発明に係る請求項２記載の通信装置用ユニットは、請求項１記載の通信装置用ユニットにおいて、筺体の前面の外側から操作され前後方向に移動自在なラックと、このラックと噛合するピニオンを一端に有し他端にねじ部が形成されたねじ棒と、このねじ棒のねじ部と螺合するねじ部を有しコネクタが取り付けられた移動部材とから前記挿抜手段を構成し、前記ねじ棒を前記ラックと直交して上下方向に延在させ軸線を中心に回転自在に支持するとともに、前記移動部材を前記ねじ棒に支持して上下方向に移動自在としたものである。
したがって、ラックを筺体の前面の外側から操作して前側に移動させると、ねじ棒が回転し移動部材がねじ棒に沿って移動しコネクタ間の結合が解除される。
【０００８】
【発明の実施の形態】
以下、本発明の実施の形態を図に基づいて説明する。図１は本発明に係る通信装置用ユニットの斜視図、図２は図１におけるＩＩ矢視図、図３（ａ）は図２におけるＩＩＩ（ａ）部の拡大図、（ｂ）は（ａ）におけるＩＩＩ（ｂ）−ＩＩＩ（ｂ）線断面図である。
図１において、全体を符号１で示す通信装置用ユニットには、上下、前方および後方の下部が開口した断面コ字状のフレーム２が備えられている。このフレーム２内の空間は、後述するプリント基板１２が収納される基板収納空間３と、この基板収納空間３の上方に新たに設けられた挿抜手段収納空間４と、この挿抜手段収納空間４の後方に設けられた配線収納空間５とによって形成されている。フレーム２の前方の開口には前面板６が取り付けられ、この前面板６の下部、すなわち基板収納空間３に対応した部位には、プリント基板１２が挿抜される開口６ａが形成され、挿抜手段収納区間４に対応した部位には、後述するラック２１が挿抜される円形の複数の挿抜孔（図示せず）が左右方向に穿設されている。
【０００９】
前面板６の開口６ａに対応した後方にはバックボード７が設けられ、このバックボード７には、左右方向に平行に並べられた複数の電気／光コネクタ８が搭載されている。フレーム２の上方の開口は保護板１０によって覆われ、フレーム２の下方の開口にはガイド板１１が取り付けられ、このガイド板１１の表面には、プリント基板１２を前後方向（矢印Ａ−Ｂ方向）に摺動自在に案内するガイド溝１１ａが形成されている。
【００１０】
プリント基板１２は左右方向に複数枚設けられ、その一方の面には光モジュール部品を含む電子部品１３が搭載され、前端にはラッチレバー１８が取り付けられている。プリント基板１２には、外形寸法が略同じ寸法に形成されたフローティングプレート１７が重ねられるようにして取り付けられ、このフローティングプレート１７の後端部には、上述したバックボード７の電気／光コネクタ８に結合される電気／光コネクタ１４が搭載され、上端部には後述する電気／光コネクタ３０に結合される電気／光コネクタ１５が搭載されている。プリント基板１２は前面板６の開口６ａから挿入され、ガイド板１１のガイド溝１１ａに沿って矢印Ｂ方向に摺動されることにより、基板収納空間３内に収納され、電気／光コネクタ１４がバックボード７の電気／光コネクタ８に接続される。このバックボード７の電気／光コネクタ１４と各プリント基板１２との接続構造および挿抜手段は、従来から周知のものが使用される。
【００１１】
次に、図２および図３に基づいて、本発明の特徴であるコネクタの挿抜を行う挿抜手段について説明する。
挿抜手段２０は、前後方向に延在するラック２１と、上下方向（矢印Ｅ−Ｆ方向）に延在する一対のねじ棒２３，２３と、電気／光コネクタ３０が取り付けられた移動部材２９とから概ね構成されている。ラック２１は、挿抜手段収納空間４の上部において、保護板１０に取り付けられた前後一対の保持部材２４，２４によって前後方向に摺動自在に支持され、前端にラック２１と直交するようにして挿抜レバー２２が取り付けられ、挿抜レバー２２は前面板６の外側に位置付けられている。
【００１２】
前後方向に一対設けられたねじ棒２３，２３は、上述した一対の保持部材２４，２４の折り曲げ形成された上下端部２４ａ，２４ａに、前記ラック２１と直交して上下方向に延在するようにして軸線を中心に回転自在に支持されている。すなわち、図３（ｂ）に示すように、保持部材２４の上下端部２４ａ，２４ａには、互いに対向するようにピン２６，２６が植設され、これらピン２６，２６をねじ棒２３の両端面に形成しためくら穴に係入することによって、ねじ棒２３が保持部材２４に回転自在に支持されている。ねじ棒２３の上部には、上述したラック２１に噛合するピニオン２３ａが形成され、下部にはおねじ部２３ｂが形成されている。
【００１３】
２８，２８は、一対のねじ棒２３，２３のおねじ部２３ｂ，２３ｂに螺合するめねじであって、これらめねじ２８，２８には移動部材２９の両端がそれぞれ取り付けられている。したがって、移動部材２９は、前後方向に一対設けられたねじ棒２３，２３に横架されるようにしてねじ棒２３，２３に、上下方向に移動自在に支持されている。図２に示すように、移動部材２９の下部には、電気／光コネクタ３０が、上述したプリント基板１２の電気／光コネクタ１５に対向するように取り付けられている。挿抜手段２０は、挿抜手段収納空間４内に各プリント基板１２に対応して複数個設けられ、各プリント基板１２に対応して設けられた複数の電気／光コネクタ３０は、配線収納空間５に収納される電気／光配線３１によって接続されている。したがって、電気／光コネクタ１５、３０が結合することによって、コネクタの数が増加しプリント基板１枚あたりの端子数が増加するので、信号の入出力端子数を増加させることができる。
【００１４】
次に、このような構成の挿抜手段２０による電気／光コネクタ１５，３０の挿抜の動作を、図２および図３に基づいて説明する。
挿抜レバー２２を矢印Ａ方向に引くと、ラック２１もＡ方向に摺動するので、ラック２１に噛合しているピニオン２３ａを介してねじ棒２３が時計方向に回転し、おねじ部２３ｂに螺合しているめねじ２８を介して移動部材２９が矢印Ｅ方向に上昇して、電気／光コネクタ１５，３０の結合が外れる。このように、挿抜レバー２２を引くだけの動作で、電気／光コネクタ１５，３０の結合が一斉に外れるので、通信装置運用者の作業効率が向上する。また、電気／光コネクタ１５，３０の結合を外すのに、前面板６の外側に位置した挿抜レバー２２を引くことによって行うことができ、前面板６を開放するようなことがないので、装置設置施設内の電磁雑音放射の増加を抑えることができる。
【００１５】
電気／光コネクタ１５，３０の結合を外したら、ラッチレバー１８を操作してプリント基板１２を前面板６の挿抜孔から引き抜くと、プリント基板１２の電気／光コネクタ１４と、バックボード７の電気／光コネクタ８との結合が外される。通信装置用ユニット１から取り外したプリント基板１２の保守が終了したら、再びプリント基板１２を前面板６の挿抜孔から通信装置用ユニット１内に挿入し、電気／光コネクタ８，１４を結合させる。挿抜レバー２２を矢印Ｂ方向に押すと、ラック２１もＢ方向に摺動するので、ラック２１に噛合しているピニオン２３ａを介してねじ棒２３が反時計方向に回転し、おねじ部２３ｂに螺合しているめねじ２８を介して移動部材２９が矢印Ｆ方向に下降して、電気／光コネクタ１５，３０が結合される。
【００１７】
なお、本実施の形態では、プリント配線板に実装された電子部品を光モジュールを含むように構成したが、光モジュールを含まなくてもよい。
【００１８】
【発明の効果】
以上説明したように請求項１および請求項２記載の発明によれば、コネクタの数の増加によってプリント基板１枚あたりの端子数が増加し、挿抜手段の操作を装置筺体の前面側から行うようにしたことにより、電磁雑音が低減されるとともに、通信装置運用者の作業効率が向上する。
【図面の簡単な説明】
【図１】本発明に係る通信装置用ユニットの斜視図である。
【図２】図１におけるＩＩ矢視図である。
【図３】（ａ）は図２におけるＩＩＩ（ａ）部の拡大図、（ｂ）は（ａ）におけるＩＩＩ（ｂ）−ＩＩＩ（ｂ）  線断面図である。
【図４】従来の通信装置用ユニットの斜視図である。
【図５】従来の通信装置用ユニットの第２の例を示す斜視図である。
【符号の説明】
１…通信装置用ユニット、３…プリント基板収納空間、４…コネクタ収納空間、７…バックボード、８，１４，１５，３０…電気／光コネクタ、１２…プリント基板、１３…光部品モジュールを含む電子部品、２０…挿抜手段、２１…ラック、２２…レバー、２３…ねじ棒、２３ａ…ピニオン、２３ｂ…おねじ部、２８…めねじ、２９…移動部材。
【図１】
0003634615.tif 000002
【図２】
0003634615.tif 000003
【図３】
0003634615.tif 000004
【図４】
0003634615.tif 000005
【図５】
0003634615.tif 000006